(57)【要約】【課題】ワイドコンバータを取り外すことなく、広角域と元の焦点距離域との切り替えを可能とする。【解決手段】焦点距離を広角側に変位させる機能をもつワイドコンバータ３０であって、ワイドコンバータ３０を構成するレンズのうち、１以上のレンズ１２及び２２を液体レンズとする。液体レンズ１２及び２２の一方の面３及び６を、光透過性を有する変形膜により構成し、液体レンズ内の液体を変動可能として焦点距離を可変とする。【選択図】図１
2008185627.tif 000002
【特許請求の範囲】
【請求項１】
焦点距離を広角側に変位させる機能を備えるワイドコンバータであって、
前記ワイドコンバータを構成するレンズのうち、１以上のレンズが液体レンズである
ことを特徴とするワイドコンバータ。
【請求項２】
前記液体レンズの一方の面が、光透過性を有する変形膜により構成され、
前記液体レンズに、内部の液体を出入可能とする液体移動部が設けられて成ることを特徴とする請求項１記載のワイドコンバータ。
【請求項３】
前記ワイドコンバータは、物体側から第１のレンズ群と第２のレンズ群とがこの順に配置され、
前記第１のレンズ群は、固体レンズより成る第１のレンズと、像側に第１の変形膜を備える液体レンズより成る第２のレンズとより構成され、
前記第２のレンズ群は、固体レンズより成る第３のレンズと、像側に第２の変形膜を備える液体レンズより成る第４のレンズと構成されることを特徴とする請求項１記載のワイドコンバータ。
【請求項４】
前記第1のレンズ群の第１のレンズが凹レンズとされ、
前記第２のレンズ群の第３のレンズが凸レンズとされて成ることを特徴とする請求項３記載のワイドコンバータ。
【請求項５】
焦点距離を広角側に変位させるレンズの広角化方法であって、
像側に変形膜を備える液体レンズを用いて、前記液体レンズの液体の体積を変化させて前記各変形膜の形状を変化させることにより、焦点距離の異なる第１及び第２の状態に切り替える
ことを特徴とするレンズの広角化方法。
【請求項６】
前記第１の状態は、アフォーカル倍率が１よりも小さい状態であり、
前記第２の状態は、アフォーカル倍率が１の状態であることを特徴とする請求項５記載のレンズの広角化方法。
【発明の詳細な説明】
【技術分野】
【０００１】
本発明は、撮像装置の前方等に取り付けて、光学系全体の焦点距離を広角側に変位させるワイドコンバータ及びこれを用いたレンズの広角化方法に関する。
【背景技術】
【０００２】
スチルカメラやビデオカメラなどの撮像装置において、撮影レンズの物体側すなわち前方に装着し、全系の焦点面を一定位置に維持した状態で撮影系全体の焦点距離を広角側に変化させるフロント装着方式のワイドコンバータが種々提案されている。このワイドコンバータは一般に、物体側に負の屈折力を有するレンズ群と、像側に正の屈折力を有するレンズ群とを所定の主点間隔を隔てて配置し、全体としてアフォーカル系を構成している（例えば特許文献１参照。）。
【０００３】
【特許文献１】特開２００６−２７６２２０号公報
【発明の開示】
【発明が解決しようとする課題】
【０００４】
上記特許文献１に開示のものを含め従来のワイドコンバータを用いる場合は、撮像装置等に装着した際の焦点距離域（広角）と、元の撮影レンズの焦点距離域とを切り替えるには、ワイドコンバータ自体の取り付けおよび取り外しを行わなければならない。
したがって、ワイドコンバータを一旦取り付けた後は、これを取り外すことなく広角状態と元の状態とを切り替えることはできない。このため、より簡易な方法でこのような切り替えを可能とすることが望まれている。
【０００５】
以上の問題に鑑みて、本発明は、ワイドコンバータを取り外すことなく、広角域と元の焦点距離域との切り替えを可能とすることを目的とする。
【課題を解決するための手段】
【０００６】
上記課題を解決するため、本発明は、焦点距離を広角側に変位させる機能を備えるワイドコンバータであって、ワイドコンバータを構成するレンズのうち、１以上のレンズを液体レンズとして構成する。
そして本発明は、上述のワイドコンバータにおいて、液体レンズの一方の面を、光透過性を有する変形膜により構成し、液体レンズに、内部の液体を出入可能とする液体移動部を設ける構成とする。
【０００７】
更に、本発明は、上述のワイドコンバータにおいて、物体側から第１のレンズ群と第２のレンズ群とをこの順に配置して、第１のレンズ群を、固体レンズより成る第１のレンズと、像側に第１の変形膜を備える第２のレンズとより構成する。そして第２のレンズ群を、固体レンズより成る第３のレンズと、像側に第２の変形膜を備える液体レンズより成る第４のレンズとより構成する。
【０００８】
また、本発明は、焦点距離を広角側に変位させるレンズの広角化方法であって、変形膜を備える液体レンズを用いて、液体レンズの液体の体積を変化させて変形膜の形状を変化させることにより、焦点距離の異なる第１及び第２の状態に切り替える。
【０００９】
上述したように、本発明のワイドコンバータ及びレンズの広角化方法は、液体レンズを用いることを特徴とする。液体レンズとして、例えば一方の面に例えば弾性をもって変形する光透過性の変形膜を備える液体レンズを用いることによって、容易な構成によりレンズの焦点距離を可変とすることができる。
したがって、本発明によれば、一旦撮像装置の前方等に取り付けた後は、取り外すことなく簡単に広角化した状態と元の状態とに切り替えることが可能となる。
【００１０】
特に、液体レンズの一方の面を、光透過性を有する変形膜により構成し、液体レンズに、内部の液体を移動可能とする移動可能部を設けることによって、液体の移動によって体積を変化させて変形膜の形状を可変とすることができ、これにより簡易な機構をもって焦点距離の調整、切り替えを行うことができる。
【００１１】
また更に、本発明のワイドコンバータにおいて、物体側から第１のレンズ群と第２のレンズ群とをこの順に配置して、第１のレンズ群を、固体レンズより成る第１のレンズと、像側に第１の変形膜を備える第２のレンズとより構成する。また、第２のレンズ群を、固体レンズより成る第３のレンズと、像側に第２の変形膜を備える液体レンズより成る第４のレンズとより構成することによって、後述するように、適切な収差量を有するワイドコンバータを容易に提供することができる。
【発明の効果】
【００１２】
本発明のワイドコンバータ及びレンズの広角化方法によれば、ワイドコンバータを取り外すことなく、広角域と元の焦点距離域との切り替えを行うことができる。
【発明を実施するための最良の形態】
【００１３】
以下本発明を実施するための最良の形態の例を説明するが、本発明は以下の例に限定されるものではない。
・  第１の実施形態
図１Ａ及びＢは、本発明の第１の実施形態に係るワイドコンバータの一例の第１の状態及び第２の状態における概略断面構成図である。
本発明の第１の実施形態に係るワイドコンバータ３０は、２群４枚のレンズで構成され、図１Ａ及びＢに示すように、物体側（図中左側）から第１のレンズ群１０、第２のレンズ群２０が配置される。そして第１のレンズ群１０は、固体レンズより成る第１のレンズ１１と、像側（図中右側）に変形膜を備える液体レンズより成る第２のレンズ１２とより構成する。また、第２のレンズ群２０は、固体レンズより成る第３のレンズ２１と、像側に変形膜を備える液体レンズより成る第４のレンズ２２とより構成する。
【００１４】
ここで、第１のレンズ群１０の第１のレンズを凹レンズとし、第２のレンズ群２０の第３のレンズ２１を凸レンズとする。
そして、第１の状態として、図１Ａで示すように、第１及び第２のレンズ１１及び１２を共に凹レンズとし、第１のレンズ群１０として凹のレンズパワーをもつレンズ群とする。更に、第３及び第４のレンズ２１及び２２を共に凸レンズとし、第２のレンズ群２０として凸のレンズパワーを持つレンズ群とする。このとき、系全体で１より小さいアフォーカル倍率を有する状態となる。
【００１５】
一方、第２の状態として、図１Ｂに示すように、第１のレンズ１１を凹レンズ、第２のレンズ１２を凸レンズとすることで、第１のレンズ群１０として１より小さいアフォーカル倍率を有するレンズ群とする。また、第３のレンズ２１を凸レンズ、第４のレンズ２２を凹レンズとすることで、第２のレンズ群２０として１より大きいアフォーカル倍率を有するレンズ群とする。この場合は、系全体でアフォーカル倍率が１の状態となる。
【００１６】
このように、第１の状態と第２の状態との間で、第２のレンズ１２が凹レンズと凸レンズ、第４のレンズ２２が凸レンズと凹レンズとの２つの状態となるようにレンズパワーが変化すれば、第１及び第２の状態の間でアフォーカル倍率の切り替えが可能なワイドコンバータを提供することができる。
【００１７】
このワイドコンバータを構成する液体レンズの一例の概略断面構成図を図２に示す。図２に示すように、この場合物体側に固体レンズを組み合わせて一体化した接合型のダブレットレンズ形状とする例を示す。すなわち、物体側の面は光透過性のガラス等の材料より成る固体レンズ１０１とされ、他方の面に変形膜１０７を有し、固体レンズ１０１と変形膜１０７、更に枠体１０３〜１０５との間に光透過性の液体１１０が封入されて液体レンズ１０２が構成される。液体レンズ１０２は、例えばリング状の枠体１０３〜１０５によって周囲を液密に保持される。図示の例では枠体１０４の一部に管状等の液体移動部１０６が設けられ、内部の液体１１０を出入可能としている。そして図示しない外部のポンプ機構等の駆動によって、この液体レンズ１０２の内部の液体１１０の体積が変化するように構成される。これにより変形膜１０７が変形し、液体レンズ１０２が凸レンズ又は凹レンズとなるように切り替え可能な構成とすることができる。
【００１８】
ここで、液体レンズ１０２中の液体としては、シリコン系オイル等の光透過性を有し、また適切な屈折率を有する材料を用いることが望ましい。また、変形膜１０７の材料としては、シリコン系ゴム等の適度な弾性を有する変形可能な材料であり、且つ所要の光透過性を有することが望ましく、変形可能な薄膜等の形状とすることが望ましい。
このような構成とすることによって、液体１１０の体積を変化させる機構、すなわち液体１１０を吸引又は注入する等の比較的簡易な機構をもって、簡単にレンズパワーを可変とすることができ、上述したようなアフォーカル倍率の変化を実現できる。また図２において説明した例のように、固体レンズと一体化したダブレットレンズを２つ組み合わせることによって、より簡単な構成で上述した第１及び第２の状態の切り替えが可能なワイドコンバータを実現できることとなる。
【００１９】
次に、第１の実施形態において適用可能な具体的なレンズ構造の数値例について説明する。以下の例においては、撮像装置の前方に取り付けるワイドコンバータとして用いる場合で、撮像装置のマスターレンズの焦点距離をｆ、ＦナンバーをＦｎｏ、画角を２ω（ωは半画角）とすると、
ｆ＝６．３ｍｍ
Ｆｎｏ＝２．２
２ω＝５９．３２°
である。
【００２０】
図１に示すように、第１〜第４のレンズ１１及び１２、２１及び２２の各入出射面を物体側からそれぞれ第１〜第６の面１〜６とし、これら第１〜第６の面における曲率半径、光軸上の面間隔（次の面との面間隔）、面間の媒質におけるｄ線（波長５８７．５６ｎｍ）の屈折率、同様にｄ線のアッベ数を下記の表１に示す。なお、第１の面１の曲率半径は無限大、すなわち平面とする。
【００２１】
【表１】
2008185627.tif 000003
【００２２】
また、図１Ａに示す第１の状態においてアフォーカル倍率が０．７、図１Ｂに示す第２の状態においてアフォーカル倍率が１．０であるとき、各状態における上記表１中のＲ３、Ｒ６、Ｄ２、Ｄ３、Ｄ５の数値例を下記の表２に示す。
【００２３】
【表２】
2008185627.tif 000004
【００２４】
このようなレンズ構成とした場合の第１の状態及び第２の状態における球面収差、非点収差、歪曲収差を図３Ａ〜Ｃ及び図４Ａ〜Ｃに示す。なお、図３Ａ及び図４Ａにおいて縦軸は瞳半径を規格化した数値を示し、実線ａは波長５８７．５６００ｎｍのｄ線における値、破線ｂは波長４３５．８４００ｎｍの光における値を示す。なお、図３Ａ及び図４Ａ共に実線ａで示すｄ線における球面収差は略０となっている。また、図３Ｂ及び図４Ｂにおいて一点鎖線Ｔ及び実線Ｓはそれぞれメリディオナル面（子午面）、サジタル面（球欠面）の非点収差をそれぞれ示す。図３及び図４の結果から、このようなレンズ構成とする場合は、ワイドコンバータとして適用可能な範囲であることが分かる。
【００２５】
（２）第２の実施形態
次に、本発明の第２の実施形態に係るワイドコンバータについて説明する。図５Ａ及びＢは第２の実施形態に係るワイドコンバータの概略断面構成図である。図５Ａ及びＢにおいて、図１Ａ及びＢと対応する部分には同一符号を付して重複説明を省略する。なお、この例においては、第１のレンズ１１の物体側の第１の面１のみを非球面とし、その他の面を球面とする場合を示す。
【００２６】
この実施形態においても、第１のレンズ群１０の第２のレンズ１２と第２のレンズ群２０の第４のレンズ２２とを液体レンズより構成する。液体レンズとしては、図２に示す例と同様に、ダブレットレンズ形状としてもよく、また固体レンズより成る第１及び第３のレンズ１１及び２１とは別体のレンズとすることも可能である。ダブレット形状とする場合はより簡易な構成で、図５Ａに示す第１の状態と図５Ｂに示す第２の状態との切り替えが可能なワイドコンバータ３０を実現できる。液体レンズの材料及び構成は、第１の実施形態と同様に選定し得る。
【００２７】
この第２の実施形態に適用可能なレンズ構造の数値例を以下に示す。この例においても、撮像装置の前方に取り付けるワイドコンバータとして用いる場合で、撮像装置のマスターレンズの焦点距離ｆ、ＦナンバーＦｎｏ、画角２ωは、第１の実施形態における数値例と同様とする。
この場合の第１〜第６の面１〜６の曲率半径、光軸上の面間隔、面間の媒質におけるｄ線の屈折率、ｄ線のアッベ数を下記の表３に示す。
【００２８】
【表３】
2008185627.tif 000005
【００２９】
また、図５Ａに示す第１の状態においてアフォーカル倍率が０．７、図５Ｂに示す第２の状態においてアフォーカル倍率が１．０であるとき、各状態における上記表３中のＲ３、Ｒ６、Ｄ２、Ｄ３、Ｄ５の数値例を下記の表４に示す。
【００３０】
【表４】
2008185627.tif 000006
【００３１】
また、非球面式を下記の数１としたときの第１のレンズ１１の第１の面１における非球面係数を下記の表５に示す。なお、数１において、Ｚは光の進行方向を正としたときのレンズ面からの光軸方向の距離、ｈは光軸と垂直な方向の高さ、Ｒは曲率半径、ｋは円錐定数、Ａ、Ｂ、Ｃ、Ｄはそれぞれ非球面係数を示す。
【００３２】
【数１】
2008185627.tif 000007
【００３３】
【表５】
2008185627.tif 000008
【００３４】
このようなレンズ構成とした場合の第１の状態及び第２の状態における球面収差、非点収差、歪曲収差を図６Ａ〜Ｃ及び図７Ａ〜Ｃに示す。なお、図６Ａ及び図７Ａにおいて縦軸は瞳半径を規格化した数値を示し、実線ａは波長５８７．５６００ｎｍのｄ線における値、破線ｂは波長４３５．８４００ｎｍの光における値を示す。図６Ａ及び図７Ａ共に実線ａで示すｄ線における球面収差は略０となっている。また、図６Ｂ及び図７Ｂにおいて一点鎖線Ｔ及び実線Ｓはそれぞれメリディオナル面、サジタル面の非点収差をそれぞれ示す。図６及び図７の結果から、第２の実施形態のレンズ構成とする場合においても、ワイドコンバータとして適用可能な範囲であることが分かる。
【００３５】
（３）第３の実施形態
次に、本発明の第３の実施形態に係るワイドコンバータについて説明する。図８Ａ及びＢは第２の実施形態に係るワイドコンバータの概略断面構成図である。図８Ａ及びＢにおいて、図１Ａ及びＢと対応する部分には同一符号を付して重複説明を省略する。この例においては、第１のレンズ１１の物体側の第１の面１と、第２のレンズ２１の第４の面４とを非球面とし、その他の面を球面とする場合を示す。
【００３６】
この実施形態においても、第１のレンズ群１０の第２のレンズ１２と第２のレンズ群２０の第４のレンズ２２とを液体レンズより構成する。液体レンズとして図２に示す例と同様に、ダブレットレンズ形状としてもよく、また固体レンズより成る第１及び第３のレンズ１１及び２１とは別体のレンズとすることも可能である。ダブレット形状とする場合はより簡易な構成で、図８Ａに示す第１の状態と図８Ｂに示す第２の状態との切り替えが可能なワイドコンバータ３０を実現できる。液体レンズの材料及び構成は、第１及び第２の実施形態と同様に選定し得る。
【００３７】
この第３の実施形態に適用可能なレンズ構造の数値例を以下に示す。この例においても、撮像装置の前方に取り付けるワイドコンバータとして用いる場合で、撮像装置のマスターレンズの焦点距離ｆ、ＦナンバーＦｎｏ、画角２ωは、第１の実施形態における数値例と同様とする。
この場合の第１〜第６の面１〜６の曲率半径、光軸上の面間隔、面間の媒質におけるｄ線の屈折率、ｄ線のアッベ数を下記の表６に示す。
【００３８】
【表６】
2008185627.tif 000009
【００３９】
また、図８Ａに示す第１の状態においてアフォーカル倍率が０．７、図８Ｂに示す第２の状態においてアフォーカル倍率が１．０であるとき、各状態における上記表６中のＲ３、Ｒ６、Ｄ２、Ｄ３、Ｄ５の数値例を下記の表７に示す。
【００４０】
【表７】
2008185627.tif 000010
【００４１】
また、非球面式を上記数１としたときの第１のレンズ１１の第１の面１における非球面係数を下記の表８に示す。
【００４２】
【表８】
2008185627.tif 000011
【００４３】
このようなレンズ構成とした場合の第１の状態及び第２の状態における球面収差、非点収差、歪曲収差を図９Ａ〜Ｃ及び図１０Ａ〜Ｃに示す。なお、図９Ａ及び図１０Ａにおいて縦軸は瞳半径を規格化した数値を示し、実線ａは波長５８７．５６００ｎｍのｄ線における値、破線ｂは波長４３５．８４００ｎｍの光における値を示す。図９Ａ及び図１０Ａ共に実線ａで示すｄ線における球面収差は略０となっている。また、図９Ｂ及び図１０Ｂにおいて一点鎖線Ｔ及び実線Ｓはそれぞれメリディオナル面、サジタル面の非点収差をそれぞれ示す。図９及び図１０の結果から、第３の実施形態のレンズ構成とする場合においても、ワイドコンバータとして適用可能な範囲であることが分かる。
【００４４】
以上説明したように、本発明のワイドコンバータ及びこれを用いたレンズの広角化方法によれば、ワイドコンバータのアフォーカル倍率を複雑な機構を必要とすることなく簡単に切り替えることができ、ワイドコンバータ自体を取り外すことなく、広角域と元の焦点距離域を容易に切り替えることが可能となる。
【００４５】
（４）第４の実施形態
次に、本発明のレンズの広角化方法の実施形態として、撮像装置に本発明構成のワイドコンバータを取り付けた場合のレンズの広角化方法の一例について説明する。図１１Ａ及びＢは、この撮像装置においてワイドコンバータをそれぞれ第１の状態、第２の状態としたときの概略構成図を示す。図１１Ａ及びＢに示すように、この撮像装置６０はマスターレンズ４０と、その前方すなわち物体側に例えば取り外しが可能なワイドコンバータ３０を備え、またこれらワイドコンバータ３０及びマスターレンズ４０によって形成した光学像を電気信号に変換する撮像部５１を有する。撮像部５１としては、例えば、ＣＣＤ（Charge Coupled Device）やＣＭＯＳ(Complementary Metal-Oxide Semiconductor)等の光電変換素子を使用したものが適用可能である。ワイドコンバータ３０は上述の第１〜第３の実施形態に係るワイドコンバータを含む本発明構成のワイドコンバータレンズを適用することができる。図１１において、図１に示す第１の実施の形態に係るワイドコンバータ３０のレンズ群に図１と同一の符号を付して示す。
【００４６】
図１１Ａ及びＢに示すように、撮像部５１によって形成された電気信号は、例えば映像分離回路を有する信号処理部５２によって、フォーカス制御用の信号は制御部５３に送られ、映像用の信号はその後の処理に適した形態に加工されて、矢印Ｓｃで示すように外部に出力されて、表示装置による表示、記録媒体への記録、通信手段による転送等の種々の処理に供される。
【００４７】
制御部５３には、例えば、ズームボタンやワイドボタンの操作等、外部からの操作信号が入力され、該操作信号に応じて種々の処理がなされる。そして矢印Ｓｗで示すようにワイドボタン等による広角化の指令が入力されると、指令に基づく焦点距離状態となるように、ワイドコンバータレンズ３０のドライバ回路５４、５５を介して駆動部５６、５７を動作させて、第２のレンズ１２及び第４のレンズ２２の液体を移動する例えばポンプ装置を駆動する。これにより、第２及び第４のレンズ１２及び２２の変形膜を所定の形状へ、すなわち第１の状態から第２の状態へ、またはその逆へと変形させる。なお、制御部５３は信号処理部５２から送られた信号に基づいてフォーカス状態をチェックし、最適なフォーカス状態が得られるように、ドライバ回路を介してマスターレンズのズームレンズ群を駆動する図示しない駆動部の位置制御を行う。
このような構成とすることによって、一旦ワイドコンバータ３０を取り付けた後は、ワイドボタンの操作のみという極めて簡易な操作によって、広角化状態と元の状態との切り替えが可能な撮像装置を提供できることとなる。
【００４８】
上述の撮像装置６０は、具体的製品としては、各種の形態を採り得る。例えば、デジタルスチルカメラ、デジタルビデオカメラ、カメラが組み込まれた携帯電話、カメラが組み込まれたＰＤＡ（Personal Digital Assistant）等々のデジタル入出力機器のカメラ部等として、広く適用することができる。
【００４９】
なお、上述の各実施形態及び数値例において示す各部の具体的形状及び数値例は、いずれも本発明を実施するに際して適用可能な一例を示したものに過ぎず、例えばレンズ形状の数値については、ワイドコンバータとして適用可能な範囲であれば変更可能である。例えば本発明のワイドコンバータと併用して収差補正素子を用いる場合は、各レンズ形状の数値の許容範囲を広げることが可能となる。更に、液体レンズの採り得る状態としては、上述の実施形態において例示した第１及び第２の状態の２つの状態に限定されることなく、３以上の状態を採る構成としてもよく、或いは連続的に液体レンズの変形膜を変化させる構成とすることも可能である。その他、本発明のワイドコンバータ及びレンズの広角化方法に用いる各レンズの材料、形状及び構成は、本発明構成を逸脱しない範囲において種々の変形、変更が可能であることはいうまでもない。
【図面の簡単な説明】
【００５０】
【図１】Ａは本発明の第１の実施形態に係るワイドコンバータの第１の状態における概略断面構成図である。Ｂは本発明の第１の実施形態に係るワイドコンバータの第２の状態における概略断面構成図である。
【図２】本発明の第１の実施形態に係るワイドコンバータの要部の概略断面構成図である。
【図３】Ａ〜Ｃは本発明の第１の実施形態に係るワイドコンバータの第１の状態における非球面収差、非点収差及び歪曲収差を示す図である。
【図４】Ａ〜Ｃは本発明の第１の実施形態に係るワイドコンバータの第２の状態における非球面収差、非点収差及び歪曲収差を示す図である。
【図５】Ａは本発明の第２の実施形態に係るワイドコンバータの第１の状態における概略断面構成図である。Ｂは本発明の第２の実施形態に係るワイドコンバータの第２の状態における概略断面構成図である。
【図６】Ａ〜Ｃは本発明の第２の実施形態に係るワイドコンバータの第１の状態における非球面収差、非点収差及び歪曲収差を示す図である。
【図７】Ａ〜Ｃは本発明の第２の実施形態に係るワイドコンバータの第２の状態における非球面収差、非点収差及び歪曲収差を示す図である。
【図８】Ａは本発明の第３の実施形態に係るワイドコンバータの第１の状態における概略断面構成図である。Ｂは本発明の第３の実施形態に係るワイドコンバータの第２の状態における概略断面構成図である。
【図９】Ａ〜Ｃは本発明の第３の実施形態に係るワイドコンバータの第１の状態における非球面収差、非点収差及び歪曲収差を示す図である。
【図１０】Ａ〜Ｃは本発明の第３の実施形態に係るワイドコンバータの第２の状態における非球面収差、非点収差及び歪曲収差を示す図である。
【図１１】Ａ及びＢは本発明によるレンズの広角化方法の実施形態に係る撮像装置の一例の概略構成図である。
【符号の説明】
【００５１】
１．第１の面、２．第２の面、３．第３の面、４．第４の面、５．第５の面、６．第６の面、１０．第１のレンズ群、１１．第１のレンズ、１２．第２のレンズ、２０．第２のレンズ群、２１．第３のレンズ、２２．第４のレンズ、３０．ワイドコンバータ、４０．マスターレンズ、５１．撮像部、５２．信号処理部、５３．制御部、５４．ドライバ回路、５５．ドライバ回路、５６．駆動部、５７．駆動部、６０．撮像装置、１０１．固体レンズ、１０２．液体レンズ、１０３〜１０５．枠体、１０６．液体移動部、１０７．変形膜、１１０．液体
【図１】
2008185627.tif 000012
【図２】
2008185627.tif 000013
【図３】
2008185627.tif 000014
【図４】
2008185627.tif 000015
【図５】
2008185627.tif 000016
【図６】
2008185627.tif 000017
【図７】
2008185627.tif 000018
【図８】
2008185627.tif 000019
【図９】
2008185627.tif 000020
【図１０】
2008185627.tif 000021
【図１１】
2008185627.tif 000022